【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
装置であって、
ピクチャ内の少なくとも１つのブロックの符号化を、２つ以上の変換のセットから当該ブロックの残差に適用する変換を選択することによって行うビデオ符号化器を備え、
前記ビデオ符号化器は、前記選択された変換を記述する情報を、
（ｉ）少なくとも１つのフラグを使用して前記情報を明示的に送信することと、
（ｉｉ）ビットストリーム内部のツリー構造を使用して前記情報を送信することと、
（ｉｉｉ）前記選択された変換に対応する変換係数の内部に前記情報を埋め込むことと、
（ｉｖ）対応する復号器に依存して既に符号化されているデータから前記選択された変換を推定することと、
のうちの少なくとも１つによって送信する、前記装置。
【請求項２】
前記変換のセットは、トレーニング・データを使用することと変換系列のサブセットを選択することのうちの少なくとも一方によって決定される、請求項１に記載の装置。
【請求項３】
前記選択された変換を記述した情報は、閾値のブロック・サイズよりも大きいブロック・サイズについてのみ明示的に信号送信される、請求項１に記載の装置。
【請求項４】
前記選択された変換を記述するフラグは、ブロック・サイズが閾値のブロック・サイズよりも小さい場合に当該変換の係数に埋め込まれる、請求項１に記載の装置。
【請求項５】
ビデオ符号化器における方法であって、
ピクチャ内の少なくとも１つのブロックの符号化を、２つ以上の変換のセットから当該ブロックの残差に適用する変換を選択することによって行うことを含み、
前記選択された変換を記述する情報を、
（ｉ）少なくとも１つのフラグを使用して前記情報を明示的に送信することと、
（ｉｉ）ビットストリーム内部のツリー構造を使用して前記情報を送信することと、
（ｉｉｉ）前記選択された変換に対応する変換係数の内部に前記情報を埋め込むことと、
（ｉｖ）対応する復号器に依存して既に符号化されているデータから前記選択された変換を推定することと、
のうちの少なくとも１つによって送信する、前記方法。
【請求項６】
トレーニング・データを使用することと変換系列のサブセットを選択することのうちの少なくとも一方によって前記変換のセットを決定することをさらに含む、請求項５に記載の方法。
【請求項７】
前記選択された変換を記述した情報は、閾値のブロック・サイズよりも大きいブロック・サイズについてのみ明示的に信号送信される、請求項５に記載の方法。
装置。
【請求項８】
前記選択された変換を記述するフラグは、ブロック・サイズが閾値のブロック・サイズよりも小さい場合に当該変換の係数に埋め込まれる、請求項５に記載の方法。
【請求項９】
装置であって、
ピクチャ内の少なくとも１つのブロックの復号を、２つ以上の逆変換のセットから当該ブロックの逆量子化された係数に適用する逆変換を決定することによって行うビデオ復号器を備え、
前記ビデオ復号器は、前記決定された逆変換を記述する情報の受信を、
（ｉ）ビットストリームにおけるツリー構造を使用して前記情報を受信することと、
（ｉｉ）前記逆量子化された係数の内部に埋め込まれた情報を取り出すことと、
（ｉｉｉ）既に復号されているデータから前記逆変換を推定することと、
（ｉｖ）フラグを使用して明示的に信号送信された前記情報を受信することと、
のうちの少なくとも１つによって受信する、前記装置。
【請求項１０】
ビデオ復号器における方法であって、
ピクチャ内の少なくとも１つのブロックの復号を、２つ以上の逆変換のセットから当該ブロックの逆量子化された係数に適用する逆変換を決定することによって行うことを含み、
前記ビデオ復号器は、前記決定された逆変換を記述する情報の受信を、
（ｉ）ビットストリームにおけるツリー構造を使用して前記情報を受信することと、
（ｉｉ）前記逆量子化された係数内部に埋め込まれた情報を取り出すことと、
（ｉｉｉ）既に復号されているデータから前記逆変換を推定することと、
（ｉｖ）フラグを使用して明示的に信号送信された前記情報を受信することと、
のうちの少なくとも１つによって受信する、前記方法。
【請求項１１】
装置であって、
ビデオ・シーケンスにおけるピクチャ内の少なくとも１つのブロックの符号化を、２つ以上の変換のセットから当該ブロックの残差に適用する変換を選択することによって行うビデオ符号化器を備え、
前記ビデオ・シーケンスにおける１つ以上の前のピクチャからの再構成されたデータを使用して、前記変換のセットの決定および/またはリファインメントが行われる、前記装置。
【請求項１２】
前記選択された変換を記述した情報は、閾値のブロック・サイズよりも大きいブロック・サイズについてのみ明示的に信号送信される、請求項１１に記載の装置。
【請求項１３】
前記選択された変換を記述するフラグは、ブロック・サイズが閾値のブロック・サイズよりも小さい場合に当該変換の係数に埋め込まれる、請求項１１に記載の装置。
【請求項１４】
ビデオ符号化器における方法であって、
ピクチャ内の少なくとも１つのブロックの符号化を、２つ以上の変換のセットから当該ブロックの残差に適用する変換を選択することによって行うことを含み、
前記ビデオ・シーケンスにおける１つ以上の前のピクチャからの再構成されたデータを使用して、前記変換のセットの決定および/またはリファインメントが行われる、前記方法。
【請求項１５】
前記選択された変換を記述した情報は、閾値のブロック・サイズよりも大きいブロック・サイズについてのみ明示的に信号送信される、請求項１４に記載の方法。
【請求項１６】
前記選択された変換を記述するフラグは、ブロック・サイズが閾値のブロック・サイズよりも小さい場合に当該変換の係数に埋め込まれる、請求項１４に記載の方法。
【請求項１７】
装置であって、
ビデオ・シーケンスにおけるピクチャ内の少なくとも１つのブロックの復号を、２つ以上の逆変換のセットから当該ブロックの逆量子化された係数に適用する逆変換を決定することによって行うビデオ復号器を備え、
前記ビデオ・シーケンスにおける１つ以上前に復号されたピクチャを使用して、前記逆変換のセットの決定および/またはリファインメントが行われる、前記装置。
【請求項１８】
ビデオ復号器における方法であって、
ビデオ・シーケンスにおけるピクチャ内の少なくとも１つのブロックの復号を、２つ以上の逆変換のセットから当該ブロックの逆量子化された係数に適用する逆変換を決定することによって行うことを含み、
前記ビデオ・シーケンスにおける１つ以上前に復号されたピクチャを使用して、前記逆変換のセットの決定および/またはリファインメントが行われる、前記方法。
【手続補正２】
【補正対象書類名】明細書
【補正対象項目名】００２８
【補正方法】変更
【補正の内容】
【００２８】
本願発明の原理の一態様によれば、装置が提供される。この装置はビデオ符号化器を備え、このビデオ符号化器はピクチャ内の少なくとも１つのブロックの符号化を、２つ以上の利用可能な変換のセットからブロックの残差に適用する変換を選択することによって行う。ブロックのための少なくとも１つのリファレンスを予測するために使用されるインター予測モードと、動きベクトルに対応する１つ以上の値と、１つ以上の既に符号化されているブロックの残差の値と、ブロックの予測データの値と、１つ以上の隣接する再構成されたブロックの１つ以上の変換選択と、ブロックの残差のための変換係数に対して適用される量子化ステップと、のうちの少なくとも１つに基づいて変換が選択される。
【手続補正３】
【補正対象書類名】明細書
【補正対象項目名】００２９
【補正方法】変更
【補正の内容】
【００２９】
本願発明の原理の別の態様によれば、装置が提供される。この装置はビデオ符号化器を備え、このビデオ符号化器はピクチャ内の少なくとも１つのブロックの符号化を、２つ以上の利用可能な変換のセットからブロックの残差に適用する変換を選択することによって行う。ビデオ符号化器は、選択された変換を記述する情報を、少なくとも１つのフラグを使用して情報を明示的に送信することと、ビットストリーム内部のツリー構造を使用して情報を送信することと、選択された変換に対応する変換係数の内部に情報を埋め込むことと、対応する復号器が既に符号化されているデータから選択された変換を推定できるようにすることと、のうちの少なくとも１つによって送信する。
【手続補正４】
【補正対象書類名】明細書
【補正対象項目名】００３０
【補正方法】変更
【補正の内容】
【００３０】
本願発明の原理のさらに別の態様によれば、装置が提供される。この装置はビデオ符号化器を備え、このビデオ符号化器はビデオ・シーケンスにおけるピクチャ内の少なくとも１つのブロックの符号化を、２つ以上の利用可能な変換のセットからブロックの残差に適用する変換を選択することによって行う。ビデオ・シーケンスにおける１つ以上の前のピクチャからの再構成されたデータを使用して、変換のセットの決定およびリファインメントのうちの少なくとも一方が行われる。
【手続補正５】
【補正対象書類名】明細書
【補正対象項目名】００３１
【補正方法】変更
【補正の内容】
【００３１】
本願発明の原理のさらに別の態様によれば、装置が提供される。この装置はビデオ符号化器を備え、このビデオ符号化器はピクチャ内の少なくとも１つのブロックの符号化を、２つ以上の利用可能な変換のセットからブロックの残差に適用する変換を選択することによって行う。変換のセットは、ブロックのために符号化されることになるデータから決定される。
【手続補正６】
【補正対象書類名】明細書
【補正対象項目名】００３２
【補正方法】変更
【補正の内容】
【００３２】
本願発明の原理の別の態様によれば、ビデオ符号化器における方法が提供される。この方法は、ピクチャ内の少なくとも１つのブロックの符号化を、２つ以上の利用可能な変換のセットからブロックの残差に適用する変換を選択することによって行うことを含む。ブロックのための少なくとも１つのリファレンスを予測するために使用されるインター予測モードと、動きベクトルに対応する１つ以上の値と、１つ以上の既に符号化されているブロックの残差の値と、ブロックの予測データの値と、１つ以上の隣接する再構成されたブロックの１つ以上の変換選択と、ブロックの残差のための変換係数に対して適用される量子化ステップと、のうちの少なくとも１つに基づいて変換が選択される。
【手続補正７】
【補正対象書類名】明細書
【補正対象項目名】００３３
【補正方法】変更
【補正の内容】
【００３３】
本願発明の原理のさらに別の態様によれば、ビデオ符号化器における方法が提供される。この方法は、ピクチャ内の少なくとも１つのブロックの符号化を、２つ以上の利用可能な変換のセットからブロックの残差に適用する変換を選択することによって行うことと、選択された変換を記述する情報を、少なくとも１つのフラグを使用して情報を明示的に送信することと、ビットストリーム内部のツリー構造を使用して情報を送信することと、選択された変換に対応する変換係数の内部に情報を埋め込むことと、対応する復号器が既に符号化されているデータから選択された変換を推定できるようにすることと、のうちの少なくとも１つによって送信するステップとを含む。
【手続補正８】
【補正対象書類名】明細書
【補正対象項目名】００３４
【補正方法】変更
【補正の内容】
【００３４】
本願発明の原理のさらに別の態様によれば、ビデオ符号化器における方法が提供される。この方法は、ピクチャ内の少なくとも１つのブロックの符号化を、２つ以上の変換のセットからブロックの残差に適用する変換を選択することによって行う、符号化するステップを含む。ビデオ・シーケンスにおける１つ以上の前のピクチャからの再構成されたデータを使用して、変換のセットの決定およびリファインメントのうちの少なくとも一方が行われる。
【手続補正９】
【補正対象書類名】明細書
【補正対象項目名】００３５
【補正方法】変更
【補正の内容】
【００３５】
本願発明の原理のさらに別の態様によれば、ビデオ符号化器における方法が提供される。この方法は、１つ以上の変換のセットを決定することと、ピクチャ内の少なくとも１つのブロックの符号化を、変換のセットからブロックの残差に対して適用する変換を選択することによって行うことと、を含む。変換のセットは、ブロックのために符号化されるべきデータから決定される。
【手続補正１０】
【補正対象書類名】明細書
【補正対象項目名】０１００
【補正方法】変更
【補正の内容】
【０１００】
本発明の多くの付随する利点／特徴の幾つかについて説明する。これらの幾つかは既に述べた通りのものである。例えば、１つの利点／特徴は、ピクチャ内の少なくとも１つのブロックの符号化を、２つ以上の利用可能な変換のセットからブロックの残差に対して適用する変換を選択することによって行うビデオ符号化器を有する装置である。ブロックのための少なくとも１つのリファレンスを予測するために使用されるインター予測モードと、動きベクトルに対応する１つ以上の値と、１つ以上の既に符号化されているブロックの残差の値と、ブロックの予測データの値と、１つ以上の隣接する再構成されたブロックの１つ以上の変換選択と、ブロックの残差のための変換係数に対して適用される量子化ステップと、のうちの少なくとも１つに基づいて変換が選択される。
【手続補正１１】
【補正対象書類名】明細書
【補正対象項目名】０１０４
【補正方法】変更
【補正の内容】
【０１０４】
さらに、別の利点／特徴は、ピクチャ内の少なくとも１つのブロックの符号化を、２つ以上の利用可能な変換のセットからブロックの残差に対して適用する変換を選択することによって行うビデオ符号化器を有する装置である。このビデオ符号化器は、選択された変換を記述する情報を、１つ以上のフラグを使用して情報を明示的に送信することと、ビットストリーム内部のツリー構造を使用して情報を送信することと、選択された変換に対応する変換係数の内部に情報を埋め込むことと、対応する復号器が既に符号化されているデータから選択された変換を推定できるようにすることと、のうちの少なくとも１つによって送信する。
【手続補正１２】
【補正対象書類名】明細書
【補正対象項目名】０１０６
【補正方法】変更
【補正の内容】
【０１０６】
さらに、別の利点／特徴はビデオ・シーケンスにおけるピクチャ内の少なくとも１つのブロックの符号化を、２つ以上の利用可能な変換のセットからブロックの残差に対して適用する変換を選択することによって行うビデオ符号化器を有する装置である。ビデオ・シーケンスにおける１つ以上の前のピクチャからの再構成されたデータを使用して、変換のセットの決定およびリファインメントのうちの少なくとも一方が行われる。
【手続補正１３】
【補正対象書類名】明細書
【補正対象項目名】０１０７
【補正方法】変更
【補正の内容】
【０１０７】
さらに、別の利点／特徴は、ピクチャ内の少なくとも１つのブロックの符号化を、２つ以上の利用可能な変換のセットからブロックの残差に対して適用する変換を選択することによって行うビデオ符号化器を有する装置である。変換のセットは、ブロックのために符号化されるべきデータから決定される。
【手続補正１４】
【補正対象書類名】図面
【補正対象項目名】図６
【補正方法】変更
【補正の内容】
【図６】
2012516627.tif 000001